(57)【要約】      （修正有）【課題】各ブロックの面どうしが互いに直交するよう一方のブロックに設けられる切り欠き状ミゾ部（以下ミゾ部）が、他方の面とそれぞれに設けられる凸部および凹部が互いに嵌めあうことで複数のブロックの接合組み立てが確実になる嵌め合い式組立ブロックを提供する。【解決手段】樹脂等で形成され、その形状が多角形もしくは楕円ないし円形の板状で、その面に切り欠き状ミゾ部を設けてブロック１を形成する。その切り欠き状ミゾ部２の巾は別の同様形状の組み立て相手ブロックの板の厚みにほぼ等しく、その側壁に山形もしくは半球形あるいは半円柱形状の微細な凸部ないしは粗い面を設ける。また該組み立て相手ブロックの板面には該凸部に嵌め合う谷形もしくは半球形ディンプル状あるいは半円柱形トレンチ状の微細な凹部ないしは粗い面を設ける。この構造により、該ブロックおよび該組み立て相手ブロックの両者の面が互いに直交して嵌め合い部で嵌合可能とする。【選択図】図１
0003181155.tif 000002
【実用新案登録請求の範囲】
【請求項１】
樹脂、ゴム、木材，紙あるいはダンボール、セラミックス、粘土や金属等で形成されその形状が多角形もしくは楕円ないし円形の板状でその面に切り欠き状ミゾ部を有するブロックで、その切り欠き状ミゾ部の巾は別の同様形状の組み立て相手ブロックの板の厚みにほぼ等しくその側壁に山形もしくは半球形あるいは半円柱形状の微細な凸部ないしは粗い面を、また該組み立て相手ブロックの板面には該凸部に嵌め合う谷形もしくは半球形ディンプル状あるいは半円柱形トレンチ状の微細な凹部ないしは粗い面を設け、該ブロックおよび該組み立て相手ブロックの両者の面が互いに直交して嵌め合い部で嵌合可能な嵌め合い式組み立てブロック。
【請求項２】
請求項１記載の嵌め合い式組み立てブロックにおいて該ブロックの切り欠き状ミゾ部の側壁に山形もしくは半球形（ディンプル）あるいは半円柱形状（トレンチ）の微細な凹部を、別の同様形状の該組み立て相手ブロックの板面には該凹部に嵌め合う山形もしくは半球形あるいは半円柱形状の微細な凸部を設け、該ブロックおよび該組み立て相手ブロックの両者の面が互いに直交して嵌め合い部で嵌合可能する嵌め合い式組み立てブロック。
【請求項３】
請求項１および請求項２記載の嵌め合い式組み立てブロックにおいて互いに嵌め合う対となるブロックのそれぞれの山形もしくは半球形あるいは半円柱形状の微細な凸部および凹部の側断面形状がその嵌合出し入れ方向で抵抗が異なり嵌め合い方向よりもこれをはずす方向のほうの抵抗が大きく一度嵌め合わされた相互のブロックがはずれにくいような非対称形状とする嵌め合い式組み立てブロック。
【考案の詳細な説明】
【技術分野】
【０００１】本考案は、玩具や小物雑貨等に用いられる組み立てブロックに関するものである。
【背景技術】
【０００２】従来、組み立てブロックは組立の単位となる直方体、立方体あるいは円柱や多面角柱等形状を有するものを複数個用いてこれらを適宜接合し、多様な形状の構造体を形成させる玩具としてひろく普及している。それぞれの接合には通常その材料として用いられる樹脂や木材から成るブロック表面に適宜凹凸部を設けこれらを互いに嵌め合うことを利用して接合したり、「マジックテープ」と通称される互いに添着できるカギ状突起とこれの受け穴をその表面に配設される布を設けたり磁力を用いたりしている。
【考案の開示】
【０００３】本考案は各ブロックの面どうしが互いに直交するよう一方のブロックに設けられる切り欠き状ミゾ部（以下ミゾ部）が他方の面とそれぞれに設けられる凸部および凹部が互いに嵌めあうことで複数のブロックの接合組み立てが確実になることにより自在な組み立てを実現する。また一度嵌め合わされたブロックどうしははずれにくい凸部および凹部形状とする。
【考案が解決しようとする課題】
【０００４】従来の組み立てブロックは主に突起部（オス部）とそれに嵌め合う陥没部もしくは穴やミゾ部（メス部）の組み合わせで行うが、この方式ではブロックどうしが互いに干渉したり立体の全方向への均等な展開に形態上制約があったりして自在な組み立てができず意図する形状の造形が困難なことがあった。複数のブロックに切り欠き状ミゾ部を設けその側壁と対応するブロックの板面に各ブロックで対応する嵌め合わせ部位を設け相互の連結を互いの面が直角となるよう結合を確保し各ブロックの組み合わせが全立体方向に制約なしに自在に展開できるようにする。
【課題を解決するための手段】
【０００５】本考案は多角形や円形の外形形状の樹脂、木材、紙等の板平面に適宜設けられる切り欠きミゾ部を設けたほぼ同じ形状、大きさ、厚さのブロックどうしを複数互いに直交させ、その切り欠き状ミゾ部を相手の板面もしくは切り欠き状ミゾ部において嵌め合わせて接合組み立てをすることを基本とする。同ミゾ部は幅がほぼ板の厚みと同じでブロックの多角形各辺のほぼ中央もしくは円の周囲の適当位置から該ブロックの中央方向に向かい、別のブロックの板面もしくは切り欠き状ミゾ部どうしが最適な嵌め合いになるように設定される。ここに該切り欠き状ミゾ部には適当な形状の微細な凸部等が、対応するブロックの板面には嵌め合い等対応する微細な凹部等が設けられる。
【考案の効果】
【０００６】本考案によればほぼ同一組み立て様式の複数の板状ブロックを複数互いに直交させて制限なくきっちりと丈夫に組み立て可能となる。この結果これを用いて多様な形状を造形できる組み立て玩具として遊びや、知育あるいはパズルに用いたり、小物を収納したり置いたりするインテリア性のある置物やディスプレイ、家具等に応用展開できるようになる。また本考案のブロックは原則的に同様形状のブロックを板材のプレス加工や樹脂材のブロー成型や射出成型加工等で適宜簡易にかつ安価に成型でき量産が容易となる。
【実施例】
【０００７】以下、本考案を図１から図２の応用実施例について説明する。図１は本考案による応用の代表例として正方形形状ブロックの正面図およびその側面図である。図２はひとつのブロックに異なる形状の別のブロックとの嵌め合い状態を図１におけるＰ−Ｐ断面における組み立て構成例図である。【０００８】本考案をまず応用実施例として正方形形状ブロックで示す。その構造は図１に示すように主にブロック（１）、それに設けられる１個以上の切り欠き状のミゾ部（２）、該ミゾ部側壁に設けられる凸部（３）および該ブロック板の表面（板面）に設けられる凹部（４）から構成される。該ブロック（１）は板状の樹脂、ゴム、木材、紙あるいはダンボール、セラミックス、粘土、金属等をプレスやコンプレッション加工、ブロー成型加工あるいは射出成型加工等で形成され、その形状は正面から見て正方形とする。この板面上には最低一つの辺のほぼ中央からこれに直角に面の中心方向に向かって切り欠き状のミゾ部（２）が設けられその幅（同図ｄ寸法）は嵌め合い組み立て相手の板の厚み（同図Ｄ寸法で便宜的に示す）にほぼ等しく、長さ（同図ａ寸法）は各辺の長さ（同図Ａ寸法）の略４分の１、すなわち各辺から中心（Ｏで示す）に向かう長さ（Ａの２分の１）の略半分（２分の１）以下で図１のような形状に形成される。同図１のＸ−Ｘ軸、Ｙ−Ｙ軸およびＺ−Ｚ軸はそれぞれ同ブロック（１）の上下、左右、厚み方向の対象性を示す参考のため示す。【０００９】本考案ではブロックどうしの嵌め合いを強固にするために図１に示すような凸部（３）を該ブロック（１）のミゾ部（２）の側壁に設け、かつこれに対応する凹部（４）を対応する組み立て相手のブロックの板面（図１では便宜的に同一ブロックを用いて示す）に設ける。該凸部（３）は同正面図の右側中央に示すミゾ部（２）にその側面が示されるような山形形状を形成する例で示す。なお、この山の高さ等凸部寸法は該ミゾ部（２）の巾ｄに対し実際はごく微小であり以下有効巾ｄと記すが作図および説明の便宜上誇張して示す（以下凹部も同）。前記微細な凸部（３）に対応する微細な凹部（４）も同図右側に示すように辺に沿って前記山形形状に対応する谷形形状で形成される。両者が組み合わされる状態を図２に示すがこれでは該ブロック（１）は図１のＰ−Ｐ断面（右側）におけるようにその板面上の谷形形状と別の組み合わせ相手ブロック１（１１）のミゾ部（２１）の山形形状が互いに嵌め合う。ここに図１における山形形状の最小ピッチｂ１は同谷形形状の最小ピッチｂ２とほぼ同じで各個数や位置は適宜設定される。【００１０】前述の微細な凸部（３）の形状は図１の左側に示されるようにほぼ半球形やかまぼこ様の円柱形状でもよく、対応する微細な凹部（４）は同図左側に示すようにそれぞれ円形のくぼみ（ディンプル）や雨樋状の半円柱形状のくぼみ（トレンチ）とし前述と同様適宜設ける。図２には図１のＰ−Ｐ断面に対して円形のブロック２（１２）がそのミゾ部（２２）の微細な凸部（３）と該ブロック（１）の板面上の微細な凹部（４）で互いに嵌め合い組み合わされている状態を示す。【００１１】本考案においては既述のように組み合わせブロックの形状は多角形や円形と多様に可能であるが、各ブロックを互いに組み合わせやすくするためには実質的にはその厚みＤは共通化ししたがって各ブロックに設けられるミゾ部の有効巾ｄも共通化するとよい。また図２ではブロックどうしの組み合わせは一つのブロック（１）の板面の自由な位置と対応する相手のブロック１（１１）やブロック（１２）の各ミゾ部（２１）や同（２２）の嵌め合いを示すがこのほかに相対する両者のミゾ部どうしの嵌め合いでも可能である。この場合は既述の微細な凸部（３）と微細な凹部（４）の嵌め合いと協調し、よりしっかりとした組み合わせの結合が得やすい。【００１２】なお該凸部（３）と凹部（４）の配置は既述とは逆にそれぞれ前者を板面上に後者をミゾ部（２）の側面に配設しても互いに嵌め合わせが可能であればかまわない。【００１３】以上述べた微細な凸部（３）と凹部（４）の形状を図２の右半分の、ブロック１ミゾ部（２１）側壁の微細な凸部（３）のような右方向の傾斜が小で反対方向の傾斜が大なノコギリ状の不等辺三角形の山形とこれに対応するブロック（１）の板面上の微細な凹部（４）のほぼ同形状の組み合わせによる嵌めあいとすると同図２でブロック１（１１）はブロック（１）に対し右方向（嵌め合いをはずす方向）は逆の左方向（嵌め合い挿入方向）よりも山形形状の勾配の効果により抵抗が大きく互いに外れにくくなる。この凸部（３）と凹部（４）の形状による効果は既述の半円球や半円柱の場合もその側断面方向を非対称とすることにより同様に得られる。【００１４】また既述の凸部（３）と凹部（４）はそれぞれが互いに滑りにくくかつしっかりと嵌め合う材質の粗い面加工をしたり（図示せず）、同様な特性を持つ材料を取り付けたりして構成してもよい。【００１５】なおブロックの形状はコーナー部や切り欠き状ミゾ部の角を丸めたり組み合わせる相手ブロックの大きさや形状、着色の色や模様等を変化させたりしても本考案の主旨と相違しない限り可能である。
【図面の簡単な説明】
【００１６】
【図１】本考案に関わる代表例のブロックの正面図および側面図である。
【図２】本考案に関わる複数ブロックの組み立て構成例図である。
【符号の説明】
【００１７】（１）    ブロック    （２）ミゾ部    （３）凹部    （４）凸部
（１１）ブロック１    （２１）ブロック１ミゾ部
（１２）ブロック２    （２２）ブロック２ミゾ部
【図１】
0003181155.tif 000003
【図２】
0003181155.tif 000004
【手続補正書】
【提出日】平成24年10月10日(2012.10.10)
【手続補正１】
【補正対象書類名】明細書
【補正対象項目名】００１４
【補正方法】変更
【補正の内容】
【００１４】また既述の凸部（３）と凹部（４）はそれぞれが互いに滑りにくくかつしっかりと嵌め合う材質の粗い面加工をしたり（図示せず）、同様な特性を持つ材料を取り付けたり弾性を利用して構成してもよい。
【手続補正書】
【提出日】平成24年11月7日(2012.11.7)
【手続補正１】
【補正対象書類名】実用新案登録請求の範囲
【補正対象項目名】請求項１
【補正方法】変更
【補正の内容】
【請求項１】
樹脂、ゴム、木材，紙あるいはダンボール、セラミックス、粘土や金属で形成されその形状が多角形もしくは楕円ないし円形の板状でその面に切り欠き状ミゾ部を有するブロックで、その切り欠き状ミゾ部の巾は別の同様形状の組み立て相手ブロックの板の厚みにほぼ等しくその側壁に山形もしくは半球形あるいは半円柱形状の微細な凸部ないしは粗い面を、また該組み立て相手ブロックの板面には該凸部に嵌め合う谷形もしくは半球形ディンプル状あるいは半円柱形トレンチ状の微細な凹部ないしは粗い面を設け、該ブロックおよび該組み立て相手ブロックの両者の面が互いに直交して嵌め合い部で嵌合可能な嵌め合い式組み立てブロック。
【手続補正２】
【補正対象書類名】実用新案登録請求の範囲
【補正対象項目名】請求項２
【補正方法】変更
【補正の内容】
【請求項２】
請求項１記載の嵌め合い式組み立てブロックにおいて該ブロックの切り欠き状ミゾ部の側壁に山形もしくは半球形ディンプル状あるいは半円柱形状トレンチ状の微細な凹部を、別の同様形状の該組み立て相手ブロックの板面には該凹部に嵌め合う山形もしくは半球形あるいは半円柱形状の微細な凸部を設け、該ブロックおよび該組み立て相手ブロックの両者の面が互いに直交して嵌め合い部で嵌合可能する嵌め合い式組み立てブロック。
【手続補正３】
【補正対象書類名】明細書
【補正対象項目名】０００２
【補正方法】変更
【補正の内容】
【０００２】従来、組み立てブロックは組立の単位となる直方体、立方体あるいは円柱や多面角柱等形状を有するものを複数個用いてこれらを適宜接合し、多様な形状の構造体を形成させる玩具としてひろく普及している。それぞれの接合には通常その材料として用いられる樹脂や木材から成るブロック表面に適宜凹凸部を設けこれらを互いに嵌め合うことを利用して接合したり、「マジックテープ（登録商標）」と通称される互いに添着できるカギ状突起とこれの受け穴をその表面に配設される布を設けたり磁力を用いたりしている。